(57)【要約】【課題】  運転者の視線移動をスムーズに行うことができ、車両の前方の情報を迅速に察知できるようにした車両用表示装置を提供する。【解決手段】  車両のインストルメントパネル近傍に設けられて各種情報を表示する表示手段を備えた車両用表示装置に関し、車両の前方を撮像する前方撮像手段１と、前記車両のインストルメントパネルＰに設けられ少なくとも前方撮像手段１によって得られる前方情報を表示する表示手段５と、表示手段５の一部分の画面領域に前記前方情報以外の情報を表示させる制御手段５と、を備えてなる。【選択図】  図１
2006176054.tif 000002
【特許請求の範囲】
【請求項１】
車両の前方を撮像する前方撮像手段と、前記車両のインストルメントパネルに設けられ少なくとも前記前方撮像手段によって得られる前方情報を表示する表示手段と、前記表示手段の一部分の画面領域に前記前方以外の情報を表示させる制御手段と、を備えてなることを特徴とする車両用表示装置。
【請求項２】
前記制御手段は、前記前方情報を示す表示と前記前方情報以外の情報を示す表示との境界線を、前記前方情報の表示色に応じてコントラストの高い表示色を選択して表示させることを特徴とする請求項１に記載の車両用表示装置。
【請求項３】
前記車両の側方または後方を撮像する周辺撮像手段を備え、
前記制御手段は、前記一部分の画面領域に前記周辺撮像手段により得られる周辺情報を選択的に表示させることを特徴とする請求項１または請求項２に記載の車両用表示装置。
【発明の詳細な説明】
【技術分野】
【０００１】
本発明は、車両のインストルメントパネルに設けられて各種情報を表示する表示手段を備えた車両用表示装置に関する。
【背景技術】
【０００２】
従来、車両の現在位置およびその周辺の地図を表示装置の表示画面上に表示して走行案内を行なうものが知られている（例えば、特許文献１参照）。また、エアコン、カーオーディオ、自動車電話等に関連する各種情報を上記表示画面に表示し、かつ操作用スイッチを操作して上記画面上に表示する表示対象を選択できるようにした車両用表示装置も実用化されている。
【０００３】
また、このような車両用表示装置において、現在位置およびその周辺の地図をＤＶＤ−ＲＯＭ等から読出して表示するものもあり、例えば１／８０万、１／２０万、１／５万の各縮尺の地図を選択的に画面上に表示しうるようになっている。
【特許文献１】特開昭６２−１６３２００号公報
【発明の開示】
【発明が解決しようとする課題】
【０００４】
ところが、上記のような表示装置を備えた車両を運転中に、操作用スイッチによって画面上の表示情報を切替えた場合、あるいはいままで表示画面上に表示されていた地図からこれとは縮尺の異なる地図に切替えた場合、など画面が切替わる際に、ついその画面に見入って、前方に対する注意がおろそかになるおそれがある。
【０００５】
また、運転者が表示画面内の必要とする情報を探したり見つめてしまうと、視野が狭くなり、車両の前方の状況に気付きにくくなるおそれがある。逆に、車両の前方の状況を気にすると表示画面の表示内容についてなかなか理解できず、車両外と表示画面を交互に繰り返して見るなど運転者の負担となってしまう問題があった。
【０００６】
そこで本発明の目的とするところは、運転者の視線移動をスムーズに行うことができ、車両の前方の情報を迅速に察知できるようにした車両用表示装置を提供することにある。
【課題を解決するための手段】
【０００７】
本発明の車両用表示装置は、請求項１に記載したように、車両の前方を撮像する前方撮像手段と、前記車両のインストルメントパネルに設けられ少なくとも前記前方撮像手段によって得られる前方情報を表示する表示手段と、前記表示手段の一部分の画面領域に前記前方以外の情報を表示させる制御手段と、を備えてなることを特徴とするものである。
【０００８】
また、請求項２に記載したように、請求項１に記載の車両用表示装置において、前記制御手段は、前記前方情報を示す表示と前記前方情報以外の情報を示す表示との境界線を、前記前方情報の表示色に応じてコントラストの高い表示色を選択して表示させることを特徴とするものである。
【０００９】
また、請求項３に記載したように、請求項１または請求項２に記載の車両用表示装置において、前記車両の側方または後方を撮像する周辺撮像手段を備え、前記制御手段は、前記一部分の画面領域に前記周辺撮像手段により得られる周辺情報を選択的に表示させることを特徴とするものである。
【発明の効果】
【００１０】
本発明は、車両のインストルメントパネル近傍に設けられて各種情報を表示する表示手段を備えた車両用表示装置に関し、表示手段に表示される情報を注目した場合であっても、車両の前方の情報を迅速に察知できるようにした車両用表示装置を提供できる。
【発明を実施するための最良の形態】
【００１１】
以下、添付図面に基づいて本発明の実施形態について説明する。
【００１２】
図１に示すように、車両用表示装置は、前方撮像手段１と、周辺撮像手段２と、操作手段３と、制御手段４と、表示手段５と、各種検出手段Ｓと、から主に構成されている。
【００１３】
前方撮像手段１は、車両の前方側に搭載されるカメラを適用でき、例えば、車両のフロントグリルに設けられ、運転者にとって死角となる車両近傍部分を含む車両の前方の風景を撮像することができる。また、前方撮像手段１は、前述した撮像によって得られる前方情報（画像情報）を制御手段４に出力する。
【００１４】
周辺撮像手段２は、車両の側方や後方の風景を撮像するものであり、車両の近傍の路面など運転者の死角となる部分を撮像することができる。周辺撮像手段２は、例えば、助手席側のサイドミラーあるいはフェンダー等の外装に搭載され、車両の側方の路面を撮像する広画角カメラや、車両の後部の外装やリアウィンドウを介して車両の後方の路面を撮像する広画角カメラを適用できる。また、周辺撮像手段２は、広画角カメラで撮影された周辺情報（画像情報）を制御手段４に出力する。
【００１５】
操作手段３は、運転者による操作によって表示手段５の表示内容を切替えるためのものであり、この場合、車両に搭載されるターンシグナルのレバースイッチ３１やシフトポジションセンサ（図示しない）を兼用して適用することができ、レバースイッチ３１の操作や、バックギアへのシフト操作による操作内容を制御手段４に出力する。なお、操作手段３は、表示手段５の切替操作専用に設けられる操作用スイッチであってもよく、インストルメントパネルＰまたはステアリングに設けることもできる。
【００１６】
制御手段４は、画像処理回路と、制御回路と、表示用駆動回路とを備えている。画像処理回路は、前方撮像手段１によって撮像されて得た前方情報や、周辺撮像手段２によって撮像されて得た周辺情報を入力し、表示手段５に表示するための表示画像を生成するものである。制御回路は、マイクロコンピュータから構成されており、ＲＯＭ、ＲＡＭ，ＣＰＵ及び入出力インターフェイス回路を有するものであり、前記画像処理回路にて生成された表示画像を操作手段３の操作に応じて表示手段５に選択的に表示させたり、後述する各種検出手段Ｓからの信号に基づいて表示させるものである。表示用駆動回路は、前記制御回路による制御信号に基づいて、表示手段５に所定の表示を行わせるための駆動制御回路である。
【００１７】
表示手段５は、インストルメントパネルＰの所定箇所に搭載されるものであり、ＴＦＴ型の液晶表示パネルや有機ＥＬパネルからなる表示画面を設けてなる。この場合、表示手段５は、図２に示すように、インストルメントパネルＰに設けられ、同一のパネルにおいて、メーター表示部５１と、前方表示部５２と、選択的に表示される選択表示部５３と、によって表示画面が構成されている。
【００１８】
メーター表示部５１は、表示手段５の運転席側にて、車速やエンジン回転数等の車両に関する情報をアナログ表示あるいはデジタル表示することができる。制御手段４は、車両に搭載される車速センサやパルサコイル，残燃料センサなどの各種検出手段Ｓからの信号を入力し、車両速度やエンジン回転数、残燃料や油温などの情報を表示するべく画像を描画処理し、メーター表示部５１に表示させることができる。
【００１９】
前方表示部５２は、通常メーター表示部５１以外の全面を使用して、前方撮像手段１によって得られる前方情報に基づいた車両の前方の風景を表示することができる。制御手段４は、前方撮像手段１によって得られる前方情報を運転者に視認しやすい明るさやコントラストなどに補正を行いつつ描画処理することによって、前方表示部５２に表示させるべく表示画像を生成し、表示手段５に出力する。この場合、図２に示すように、車両のインストルメントパネルＰやボンネットＢなどによって死角となる部分を含む前方の風景を前方情報に基づいて表示することができる。この前方表示部５２の表示によって、フロントガラスＷを介して視認できない路面等の車外状況を確認することができる。
【００２０】
選択表示部５３は、前記前方の風景の表示の一部分の表示領域を運転者によって選択された情報あるいは、所定の運転操作に連動して選択される情報に関して表示することができる。この表示領域には、例えば、ナビゲーション表示、周辺撮像手段によって撮像される周辺情報の表示、オーディオやテレビなどの表示を運転者の選択操作によって表示させたり、ターンシグナルのレバースイッチ３１操作に応じて側方の路面を表示させたり、バックギアへのシフト操作によって後方の路面を表示させるなど、車両の前方の風景以外の情報を選択的に表示できる。
【００２１】
また、制御手段４は、前方表示部５２と選択表示部５３との境界であり前記表示領域を示す枠（境界線）Ｔを表示手段５にて表示させており、前方表示部５２のうち、前記表示領域付近の画像の色に対してコントラストの高い表示色にてこの枠Ｔを表示させる。したがって、運転者は、前方の風景の色が変わっても、表示手段５中のどこに前方の風景以外の情報が表示されているのかが迅速に判断できるため、視線移動をスムーズに行って情報を察知することができる。特に、車両の周辺を選択表示部５３にて表示する際には、前方の風景の表示と周辺の風景の表示との境界がわかりにくいので、前述したコントラストの高い枠Ｔの表示は、有効となる。
【００２２】
かかる車両用表示装置は、車両の前方を撮像する前方撮像手段１と、前記車両のインストルメントパネルＰに設けられ少なくとも前方撮像手段１によって得られる前方情報を表示する表示手段５と、表示手段５の一部分の画面領域に前記前方情報以外の情報を表示させる制御手段５と、を備えてなる。
【００２３】
したがって、運転者は、前記画面領域となる選択表示部５３の表示画面を見ている際にも、前方表示部５２の表示が視野内もしくは視野の近傍にあるため、ほとんど視線移動することなく、車両の前方の状況を迅速に察知できる。例えば、図２に示すように、選択表示部５３の表示画面を見ているときであっても、同一のパネル上に前方表示部５２があるために、視線をほとんど移動することなく、先行車両Ｖの走行状態など前方情報と選択表示部５３が示す情報との両方を迅速に確認することできる。
【００２４】
また、制御手段４は、前記前方情報を示す表示（前方表示部５２）と前記前方情報以外の情報を示す表示（選択表示部５３）との境界線となる枠Ｔを、前記前方情報の表示色に応じてコントラストの高い表示色を選択して表示させることによって、運転者は、表示手段５中のどこに前方の風景以外の情報が表示されているのかが迅速に判断できるため、視線移動をスムーズに行うことができる。
【００２５】
また、前記車両の側方または後方を撮像する周辺撮像手段２を備え、制御手段４は、前記一部分の画面領域に周辺撮像手段２により得られる周辺情報を選択的に表示させることによって、ほとんど視線を移動することなく、車両の前方情報を確認しながら側方や後方の周辺情報を確認することができるため、車両周辺の状態変化を迅速に察知できる。
【００２６】
なお、本発明の実施の形態では、表示手段として液晶表示パネルや有機ＥＬパネルから構成するものを例に挙げて説明したが、本発明はこれに限定されるものではなく、例えば、インストルメントパネル上部に表示像を投影する表示器と、この表示像を運転者の方向へ虚像として投射する反射ミラーとを少なくとも備えた虚像表示装置（ヘッドアップディスプレイ装置）を用いることで、虚像と車両の前方風景との距離を近づけることができるため、運転者の視線移動を更に抑制しつつ、車両の前方の状況を迅速に察知できる車両用表示装置となる。
【００２７】
また、本発明の実施の形態では、上述した車両用表示装置を例に挙げて説明したが、本発明はこれに限定されるものではなく、その構成は同様の効果が得られるものであればよく、例えば、前方撮像手段や周辺撮像手段として赤外線カメラや、全方位カメラなどを適用することも考えられる。また、前方撮像手段や周辺撮像手段の車両搭載位置は、車両の外装等の形状に応じて任意に選択できるが、上述の実施の形態のように運転者の死角を撮像できる位置が望まれる。また、表示手段として運転者の指先にて所望の選択操作可能なタッチパネルを適用することもでき、操作時においても前方の状態を迅速に確認できるので有効である。
【図面の簡単な説明】
【００２８】
【図１】本発明の実施の形態である車両用表示装置のブロック図。
【図２】同上実施の形態の表示例を示す図。
【符号の説明】
【００２９】
１  前方撮像手段
２  周辺撮像手段
４  制御手段
５  表示手段
Ｐ  インストルメントパネル
Ｔ  枠（境界線）
【図１】
2006176054.tif 000003
【図２】
2006176054.tif 000004